Podtech/llm-jp-corpus-v4-ja_patent huggingface dataset:
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
常温保存可能な濃縮ココナッツ水であって、
前記濃縮ココナッツ水はココナッツから得られたココナッツ水を濃縮したものであり、
前記濃縮ココナッツ水は防腐剤を含まず、
前記濃縮ココナッツ水は１２箇月間冷蔵をしなくても微生物の成長を示さず、
前記濃縮ココナッツ水は他の果汁、酵素、着色料、香味料、及び安定剤を用いなくても、１２箇月間冷蔵をせずに貯蔵した場合に微生物の成長を示さず、
前記濃縮ココナッツ水のブリックス測定値が７１−８５であり、水分活性が０．７未満であり、前記濃縮ココナッツ水がココナッツ水飲料を形成するために飲用の非濃縮還元溶液に希釈された場合に、得られたココナッツ水飲料が事前濃縮されていないココナッツ水と同様の栄養および味を維持するように、前記濃縮ココナッツ水がココナッツ水の電解質および喉越し感を維持する常温保存可能な濃縮ココナッツ水。
【請求項２】
ブリックス測定値が約６０のココナッツ水原液を選択するステップと、前記ココナッツ水原液を圧力下で１回以上蒸発させて前記ココナッツ水原液の水分活性を０．６０〜０．７０まで低下させると共にブリックス測定値を少なくとも約７１まで上昇させるステップとを含む処理により生成され、前記ココナッツ水が前記濃縮ココナッツ水の風味の唯一の源である請求項１に記載の常温保存可能な濃縮ココナッツ水。
【請求項３】
ブリックス測定値が約４の還元ココナッツ水原液を選択するステップと、前記ココナッツ水原液を圧力下で１回以上蒸発させて前記ココナッツ水原液の水分活性を０．６０〜０．７０まで低下させると共にブリックス測定値を少なくとも約７０まで上昇させるステップとを含む処理により生成され、前記ココナッツ水が前記濃縮ココナッツ水の風味の唯一の源である請求項１に記載の常温保存可能な濃縮ココナッツ水。
【請求項４】
請求項１に記載の常温保存可能な濃縮ココナッツ飲料水を製造する方法であって、ブリックス測定値が約４の還元ココナッツ水原液を選択するステップと、熱および圧力による多段蒸発処理を用いて前記ココナッツ水原液を濃縮して、ブリックス測定値が少なくとも約７１の濃縮ココナッツ水を生成して常温保存可能な濃縮ココナッツ飲料水を製造する方法。
【請求項５】
請求項１に記載の常温保存可能な濃縮ココナッツ飲料水を製造する方法であって、ブリックス測定値が約６０の還元ココナッツ水原液を選択するステップと、熱および圧力による多段蒸発処理を用いて前記ココナッツ水原液を濃縮して、ブリックス測定値が少なくとも約７１の濃縮ココナッツ水を生成して常温保存可能な濃縮ココナッツ飲料水を製造する方法。
【請求項６】
ココナッツ清涼飲料水を調合する方法であって、
請求項１に記載の濃縮ココナッツ水を提供するステップと、
希釈液を提供するステップと、
前記濃縮ココナッツ水および希釈液をカップに分注することによりココナッツ清涼飲料水を生成するステップを含む方法。
【請求項７】
前記希釈液が水である、請求項６に記載の方法。
【請求項８】
前記希釈液が炭酸水である、請求項６に記載の方法。
【請求項９】
さらに香味料を添加された請求項１に記載の常温保存可能な濃縮ココナッツ水。
【請求項１０】
ココナッツ清涼飲料水を調合する方法であって、
保存された常温保存可能な濃縮ココナッツ水を提供し、
ここで、前記濃縮ココナッツ水は、ココナッツから得られたココナッツ水を濃縮したものであり、  
前記濃縮ココナッツ水は防腐剤を含まず、
前記濃縮ココナッツ水は１２箇月間冷蔵をしなくても微生物の成長を示さず、
前記濃縮ココナッツ水は他の果汁、酵素、着色料、香味料、及び安定剤を用いなくても、１２箇月間冷蔵をせずに貯蔵した場合に微生物の成長を示さず、
前記濃縮ココナッツ水のブリックス測定値が７１−８５であり、水分活性が０．７未満であり、
還元液を提供し、
前記濃縮ココナッツ水と前記還元液をカップの中で調剤して前記ココナッツ清涼飲料水を形成し、
ここで、保存された常温保存可能な前記濃縮ココナッツ水が前記還元液で還元される際は、前記還元液と保存された常温保存可能な前記濃縮ココナッツ水とが少なくとも１５：１から３０：１であり、還元されたココナッツ清涼飲料水のブリックス測定値が４．０−４．２であり、
保存された常温保存可能な前記濃縮ココナッツ水液がココナッツ水飲料を形成するために飲用の非濃縮還元溶液に希釈された場合に、得られたココナッツ水飲料が事前濃縮されていないココナッツ水と同様の栄養および味を維持するように、前記濃縮ココナッツ水液がココナッツ水の電解質および喉越し感を維持する、方法。
【請求項１１】
前記還元液が水または炭酸水である請求項１０に記載の方法。
【請求項１２】
還元ココナッツ清涼飲料水を提供する方法であって、
清涼飲料水販売機内において、保存された常温保存可能な濃縮ココナッツ水１質量部に対して還元液２０〜３０質量部の比率で、保存された常温保存可能な前記濃縮ココナッツ水が前記還元液に加えられ、
前記濃縮ココナッツ水はココナッツから得られたココナッツ水を濃縮したものであり、
前記濃縮ココナッツ水は防腐剤を含まず、
前記濃縮ココナッツ水は１２箇月間冷蔵をしなくても微生物の成長を示さず、
前記濃縮ココナッツ水は他の果汁、酵素、着色料、香味料、及び安定剤を用いなくても、１２箇月間冷蔵をせずに貯蔵した場合に微生物の成長を示さず、
前記濃縮ココナッツ水のブリックス測定値が７１−８５であり、水分活性が０．７未満であり、
前記還元ココナッツ清涼飲料水は、栄養と、電解質と、外見と味が、事前濃縮されていないココナッツ水と同様の栄養、電解質、外見及び味をもち、前記還元ココナッツ清涼飲料水のブリックス測定値は４．０〜４．２である、方法。
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
発現カセットを含むポリヌクレオチドであって、
前記発現カセットが、ＧＮＳタンパク質をコードするヌクレオチド配列に作用的に連結された転写調節領域を含み、
前記ヌクレオチド配列が配列番号４であることを特徴とするポリヌクレオチド。
【請求項２】
前記転写調節領域がプロモーターを含むことを特徴とする請求項１に記載のポリヌクレオチド。
【請求項３】
前記プロモーターが恒常的なプロモーターであることを特徴とする請求項２に記載のポリヌクレオチド。
【請求項４】
前記プロモーターがＣＡＧプロモーターであることを特徴とする請求項３に記載のポリヌクレオチド。
【請求項５】
前記発現カセットがアデノ随伴ウイルスＩＴＲによって隣接されることを特徴とする請求項１乃至４のいずれか１項に記載のポリヌクレオチド。
【請求項６】
請求項１乃至５のいずれか１項に記載のポリヌクレオチド配列を含むことを特徴とするベクター。
【請求項７】
前記ベクターはプラスミドまたはアデノ随伴ウイルスベクターであり、前記アデノ随伴ウイルスベクターが請求項１乃至５のいずれか１項に記載のポリヌクレオチドを含む組換えウイルスゲノムを含むことを特徴とする請求項６に記載のベクター。
【請求項８】
前記ベクターが、配列番号８に記載される受託番号ＤＳＭ    ３２３４５を有するプラスミドｐＡＡＶ−ＣＡＧ−ｏｈＧＮＳ−ｖｅｒｓｉｏｎ３であることを特徴とする請求項６又は７に記載のベクター。
【請求項９】
前記ベクターが、血清型９のアデノ随伴ウイルスベクター、ＡＡＶ９であることを特徴とする請求項７に記載のベクター。
【請求項１０】
請求項１乃至５のいずれかに１項に記載のポリヌクレオチド、又は請求項６乃至９のいずれか１項に記載のベクターの治療有効量を含むことを特徴とする医薬組成物。
【請求項１１】
薬物の製造のための、請求項１乃至５のいずれか１項に記載のポリヌクレオチド、又は請求項６乃至９のいずれか１項に記載のベクター、又は請求項１０に記載の医薬組成物の使用。
【請求項１２】
ムコ多糖症ＩＩＩ−Ｄ型の治療のための薬物の製造のための、請求項１乃至５のいずれか１項に記載のポリヌクレオチド、又は請求項６乃至９のいずれか１項に記載のベクター、又は請求項１０に記載の医薬組成物の使用。
【請求項１３】
請求項７又は９に記載のベクターを取得する方法であって、
（ｉ）請求項１乃至５のいずれか１項に記載のポリヌクレオチドと、ＡＡＶｃａｐタンパク質と、ＡＡＶ    ｒｅｐタンパク質と、任意選択で、ＡＡＶが複製のために依存するウイルスタンパク質と、を含む細胞を提供するステップと、
（ｉｉ）前記ＡＡＶの集合に適した条件下で前記細胞を維持するステップと、
（ｉｉｉ）前記細胞によって産生された前記アデノ随伴ウイルスベクターを精製するステップと、を含むことを特徴とする方法。
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
（１）約２％（ｗ／ｖ）から約４０％（ｗ／ｖ）のポリエチレングリコール、
（２）約０．１Ｍから約１Ｍの糖類、および
（３）約１％（ｗ／ｖ）から約１０％（ｗ／ｖ）のゼラチン
を含み、
％（ｗ／ｖ）の単位およびＭの単位が、凍結保存組成物の総体積に基づく、
凍結保存組成物。
【請求項２】
前記糖類が、スクロース、ソルビトール、グルコース、フルクトース、ガラクトース、トレハロース、マンノース、マルトース、またはそれらの組合せを含む、請求項１に記載の凍結保存組成物。
【請求項３】
前記糖類が、スクロース、トレハロース、またはそれらの組合せを含む、請求項１に記載の凍結保存組成物。
【請求項４】
前記ゼラチンが、約６５ｋＤａから約２００ｋＤａに及ぶ分子量を有する、請求項１に記載の凍結保存組成物。
【請求項５】
実質的にＤＭＳＯを含まない、請求項１に記載の凍結保存組成物。
【請求項６】
アミノ酸、サイトカイン、脂質、成長因子、抗生物剤、抗真菌剤、ステロイドホルモン、タンパク質ホルモン、またはそれらの組合せをさらに含む、請求項１に記載の凍結保存組成物。
【請求項７】
１つまたは複数の細胞をさらに含む、請求項１に記載の凍結保存組成物。
【請求項８】
凍結保存状態にある、請求項７に記載の凍結保存組成物。
【請求項９】
前記細胞が、約１０５細胞個／ｍＬから約１０７細胞個／ｍＬまでに及ぶ濃度で存在する、請求項７に記載の凍結保存組成物。
【請求項１０】
（１）約２％（ｗ／ｖ）から約２０％（ｗ／ｖ）のポリエチレングリコール、
（２）約０．１Ｍから約０．５Ｍの糖類、および
（３）約１％（ｗ／ｖ）から約５％（ｗ／ｖ）のゼラチン
を含む、請求項１に記載の凍結保存組成物。
【請求項１１】
１つまたは複数の細胞をさらに含む、請求項１０に記載の凍結保存組成物。
【請求項１２】
凍結保存状態にある、請求項１０に記載の凍結保存組成物。
【請求項１３】
前記細胞が、約１０５細胞個／ｍＬから約１０７細胞個／ｍＬまでに及ぶ濃度で存在する、請求項１０に記載の凍結保存組成物。
【請求項１４】
（ａ）１つまたは複数の細胞を請求項１に記載の前記凍結保存組成物と混合して、混合物を形成するステップ、および
（ｂ）前記混合物を凍結するステップ
を含む、１つまたは複数の細胞を凍結保存するための方法。
【請求項１５】
前記細胞が哺乳類細胞である、請求項１４に記載の方法。
【請求項１６】
前記細胞が、ヒト、ブタ、イヌ、ウマ、またはウシの細胞である、請求項１４に記載の方法。
【請求項１７】
前記細胞が腫瘍細胞を含む、請求項１４に記載の方法。
【請求項１８】
前記細胞が線維芽細胞を含む、請求項１４に記載の方法。
【請求項１９】
前記細胞が幹細胞を含む、請求項１４に記載の方法。
【請求項２０】
前記混合物が、約-７０℃から約-２００℃に及ぶ温度で凍結される、請求項１４に記載の方法。
【請求項２１】
前記細胞が、前記混合物中に約１０５細胞個／ｍＬから約１０７細胞個／ｍＬまでに及ぶ濃度で存在する、請求項１４に記載の方法。
【請求項２２】
前記凍結保存組成物が、実質的にＤＭＳＯを含まない、請求項１４に記載の方法。
【請求項２３】
前記凍結混合物を解凍するステップ（ｃ）をさらに含む、請求項１４に記載の方法。
【請求項２４】
前記細胞が、少なくとも７０％または少なくとも８０％の解凍後生存能を有する、請求項２３に記載の方法。
【請求項２５】
前記凍結保存組成物が、
（１）約２％（ｗ／ｖ）から約２０％（ｗ／ｖ）のポリエチレングリコール、
（２）約０．１Ｍから約０．５Ｍの糖類、および
（３）約１％（ｗ／ｖ）から約５％（ｗ／ｖ）のゼラチン
を含む、請求項１４に記載の方法。
【請求項２６】
請求項１〜１３のいずれかに記載の凍結保存組成物を含むキット。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
配列番号８に記載のアミノ酸配列を含む共刺激ドメインをコードするヌクレオチド配列を含む、核酸分子。
【請求項２】
前記ヌクレオチド配列が、前記共刺激ドメインを含むキメラ抗原受容体（ＣＡＲ）をコードする、請求項１に記載の核酸分子。
【請求項３】
前記ＣＡＲが、ＣＤ３ζ細胞内シグナルドメインを含む、請求項２に記載の核酸分子。
【請求項４】
前記ＣＡＲが、ＣＤ８α膜貫通ドメインを含む、請求項２又は３に記載の核酸分子。
【請求項５】
前記ＣＡＲが、ＣＤ１９特異的抗原結合ドメインを含む、請求項２〜４のいずれか１項に記載の核酸分子。
【請求項６】
前記ＣＡＲが、配列番号２８のアミノ酸配列を含む、請求項２〜５のいずれか１項に記載の核酸分子。
【請求項７】
前記核酸分子が、ｍＲＮＡ、組換えＤＮＡ構築物、又はウイルスベクターのウイルスゲノムである、請求項１〜６のいずれか１項に記載の核酸分子。
【請求項８】
請求項１〜６のいずれか１項に記載の前記核酸分子を含む組換えＤＮＡ構築物。
【請求項９】
前記組換えＤＮＡ構築物がウイルスベクターをコードし、前記ウイルスベクターが請求項１〜６のいずれか１項に記載の前記核酸分子を含む、請求項８に記載の組換えＤＮＡ構築物。
【請求項１０】
前記ウイルスベクターが好ましくは組換えアデノ随伴ウイルス（ＡＡＶ）ベクターである、請求項９に記載の組換えＤＮＡ構築物。
【請求項１１】
請求項１〜６のいずれか１項に記載の前記核酸分子を含むウイルスベクター。
【請求項１２】
前記ウイルスベクターが組換えＡＡＶベクターである、請求項１１に記載のウイルスベクター。
【請求項１３】
ゲノム内に請求項１〜６のいずれか１項に記載の前記核酸分子を含む発現カセットを含む、遺伝子改変ヒトＴ細胞。
【請求項１４】
ウイルスベクターを用いて、請求項２〜６のいずれか１項に記載の前記核酸分子をヒトＴ細胞に導入することを含む、ＣＡＲを含む遺伝子改変ヒトＴ細胞の作製方法。
【請求項１５】
操作されたヌクレアーゼをコードする第２の核酸分子であって、前記操作されたヌクレアーゼが前記ヒトＴ細胞中で発現される、第２の核酸分子を前記ヒトＴ細胞に導入することを更に含み、
前記操作されたヌクレアーゼは、切断部位を生成するために前記ヒトＴ細胞のゲノム中の認識配列を認識して切断し、
前記ＣＡＲをコードする前記核酸分子は、前記切断部位で前記ヒトＴ細胞のゲノムに挿入される、請求項１４に記載の方法。
【請求項１６】
前記操作されたヌクレアーゼが、操作されたメガヌクレアーゼ、組換えジンクフィンガーヌクレアーゼ（ＺＦＮ）、組換え転写活性化剤様エフェクターヌクレアーゼ（ＴＡＬＥＮ）、ＣＲＩＳＰＲ／Ｃａｓヌクレアーゼ、またはｍｅｇａＴＡＬヌクレアーゼである、請求項１５に記載の方法。
【請求項１７】
前記核酸分子は、前記核酸分子が相同組換えによって前記切断部位で前記ヒトＴ細胞のゲノムに挿入されるように、前記切断部位に隣接する配列に相同な配列を更に含む、請求項１５又は１６に記載の方法。
【請求項１８】
前記ＣＡＲをコードする前記核酸分子が、組換えＡＡＶベクターを用いて前記ヒトＴ細胞に導入される、請求項１５〜１７のいずれか１項に記載の方法。
【請求項１９】
薬学的に許容される担体と、請求項１３に記載の前記遺伝子改変ヒトＴ細胞と、を含む医薬組成物。
【請求項２０】
それを必要とする対象においてがんを治療するための免疫療法の方法に用いるための、請求項１３に記載の遺伝子改変ヒトＴ細胞。
【請求項２１】
前記がんが癌腫、リンパ腫、肉腫、芽細胞腫、又は白血病である、請求項２０に記載の遺伝子改変ヒトＴ細胞。
【請求項２２】
前記がんが、Ｂ細胞起源のがん、乳癌、胃癌、神経芽細胞腫、骨肉腫、肺癌、黒色腫、前立腺癌、結腸癌、腎細胞癌、卵巣癌、横紋筋肉腫、白血病、及びホジキンリンパ腫からなる群から選択される、請求項２１に記載の遺伝子改変ヒトＴ細胞。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
改変Ｔ細胞の集団を含む組成物であって、
前記集団の複数の改変Ｔ細胞が、非天然抗原受容体または該非天然抗原受容体をコードする配列を含み、
前記改変Ｔ細胞の集団の少なくとも２５％が、幹メモリーＴ細胞（ＴSCM）またはＴSCM様細胞の１つまたは複数の細胞表面マーカーを発現し、そして、前記１つまたは複数の細胞表面マーカーが、ＣＤ４５ＲＡおよびＣＤ６２Ｌを含む、組成物。
【請求項２】
前記集団の改変Ｔ細胞の少なくとも２５％が、ＣＤ１２７、ＣＤ４５ＲＯ、ＣＤ９５およびＩＬ−２Ｒβの１つまたは複数を発現する、請求項１に記載の組成物。
【請求項３】
前記非天然抗原受容体が、非天然Ｔ細胞受容体（ＴＣＲ）である、請求項１に記載の組成物。
【請求項４】
前記非天然Ｔ細胞受容体が、野生型ＴＣＲと比較して、１つまたは複数の突然変異を含む、請求項３に記載の組成物。
【請求項５】
前記非天然Ｔ細胞受容体が、組換えＴＣＲである、請求項３に記載の組成物。
【請求項６】
前記非天然抗原受容体が、キメラ抗原受容体（ＣＡＲ）である、請求項１に記載の組成物。
【請求項７】
前記ＣＡＲが、
（ａ）抗原認識領域を含む外部ドメインであって、前記抗原認識領域が、抗原に特異的に結合する１つまたは複数の配列を含む、外部ドメイン、
（ｂ）膜貫通ドメイン、および
（ｃ）少なくとも１つの共刺激ドメインを含むエンドドメイン、
を含む、請求項６に記載の組成物。
【請求項８】
前記抗原認識領域が、単鎖可変領域（ｓｃＦｖ）、単鎖抗体、ＶＨＨ、抗体模倣物、タンパク質足場、またはセンチリンの少なくとも１つを含む、請求項７に記載の組成物。
【請求項９】
前記抗原認識領域が、少なくとも１つの単鎖可変領域（ｓｃＦｖ）を含む、請求項７に記載の組成物。
【請求項１０】
前記抗原認識領域が、少なくとも１つのＶＨＨを含む、請求項７に記載の組成物。
【請求項１１】
前記抗原認識領域が、少なくとも１つのセンチリンを含む、請求項７に記載の組成物。
【請求項１２】
前記集団の複数の改変Ｔ細胞が、ゲノム編集組成物をさらに含む、請求項１に記載の組成物。
【請求項１３】
前記ゲノム編集組成物が、ＤＮＡ結合ドメインをコードする配列、およびヌクレアーゼドメインをコードする配列を含む、請求項１２に記載の組成物。
【請求項１４】
前記集団の複数の改変Ｔ細胞が、ドナー配列組成物をさらに含む、請求項１２に記載の組成物。
【請求項１５】
前記ドナー配列組成物が、前記非天然抗原受容体をコードする配列を含む、請求項１４に記載の組成物。
【請求項１６】
前記非天然抗原受容体をコードする配列が、単鎖または二本鎖ＤＮＡ分子を含む、請求項１５に記載の組成物。
【請求項１７】
前記ドナー配列組成物が、相同組換えまたは内因性ＤＮＡ修復機構により、前記組成物と接触するゲノム内の特定の部位に挿入される、請求項１４に記載の組成物。
【請求項１８】
前記集団の複数の改変Ｔ細胞が、前記非天然抗原受容体をコードする配列を含むトランスポゾンをさらに含む、請求項１に記載の組成物。
【請求項１９】
前記集団の複数の改変Ｔ細胞が、トランスポザーゼまたは前記トランスポザーゼをコードする配列を含むトランスポザーゼ組成物をさらに含む、請求項１８に記載の組成物。
【請求項２０】
前記トランスポザーゼ組成物が、ｐｉｇｇｙＢａｃトランスポザーゼまたはｐｉｇｇｙＢａｃもしくはｐｉｇｇｙＢａｃ様トランスポザーゼをコードする配列を含む、請求項１９に記載の組成物。
【請求項２１】
ゲノムセーフハーバー部位が、前記非天然抗原受容体をコードする配列を含む、請求項１に記載の組成物。
【請求項２２】
前記組成物が、Ｔ細胞増殖組成物をさらに含む、請求項１に記載の組成物。
【請求項２３】
前記組成物または前記Ｔ細胞増殖組成物が、オクタン酸、ニコチンアミド、２，４，７，９−テトラメチル−５−デシン−４，７−ジオール（ＴＭＤＤ）、アジピン酸ジイソプロピル（ＤＩＰＡ）、ｎ−ブチル−ベンゼンスルホンアミド、１，２−ベンゼンジカルボン酸、ビス（２−メチルプロピル）エステル、パルミチン酸、リノール酸、オレイン酸、ステアリン酸ヒドラジド、オレアミド、ステロールまたはアルカンの１つまたは複数を含む、請求項２２に記載の組成物。
【請求項２４】
前記集団の改変Ｔ細胞の少なくとも３０％が、ＣＤ６２ＬおよびＣＤ４５ＲＡを発現する、請求項１に記載の組成物。
【請求項２５】
前記集団の改変Ｔ細胞の少なくとも３０％が、ＣＤ１２７、ＣＤ４５ＲＯ、ＣＤ９５およびＩＬ−２Ｒβの１つまたは複数を発現する、請求項１に記載の組成物。
【請求項２６】
幹細胞様Ｔ細胞、幹細胞メモリーＴ細胞（ＴSCM）およびセントラルメモリーＴ細胞（ＴCM）の１つまたは複数が、改変Ｔ細胞の前記集団の少なくとも７５％を含む、請求項１に記載の組成物。
【請求項２７】
セントラルメモリーＴ細胞（ＴCM）が、改変Ｔ細胞の集団の少なくとも１５％を含む、請求項１に記載の組成物。
【請求項２８】
抗ヒトＣＤ３単一特異的な四量体の抗体複合体、抗ヒトＣＤ２８単一特異的な四量体の抗体複合体および抗ヒトＣＤ２単一特異的な四量体の抗体複合体の１つまたは複数を含むＴ細胞活性化組成物をさらに含む、請求項１に記載の組成物。
【請求項２９】
複数の活性化改変Ｔ細胞を含む、請求項２８に記載の組成物。
【請求項３０】
前記集団の改変Ｔ細胞の少なくとも４０％が、ＣＤ６２ＬおよびＣＤ４５ＲＡを発現する、請求項１に記載の組成物。
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
生体試料を特徴づける方法であって、
ヒト個体の生体試料において、ＥＭＸ１、ＤＡＢ２ＩＰ、ＴＳＰＹＬ５、及びＨＯＸＡ１のいずれかから選択される２つ以上の遺伝子に関してＣｐＧ部位のメチル化レベルを測定することを含む前記方法であり、
前記メチル化レベルの測定が、
前記生体試料中のゲノムＤＮＡをバイサルファイトで処理し、
前記バイサルファイトで処理されたゲノムＤＮＡを、前記選択される１つ以上の遺伝子に対するプライマーのセットを用いて増幅し、
前記ＣｐＧ部位の前記メチル化レベルを、メチル化特異的ＰＣＲ、定量的メチル化特異的ＰＣＲ、メチル化感受性ＤＮＡ制限酵素分析、定量的バイサルファイトピロシーケンシング、またはバイサルファイトゲノム配列決定ＰＣＲによって測定することを介する、前記方法。
【請求項２】
さらに、前記メチル化レベルを、ＨＣＣを伴わない対照試料における対応する遺伝子のセットのメチル化レベルと比較すること、及び
前記１つ以上の遺伝子において測定された前記メチル化レベルが、それぞれの対照試料において測定された前記メチル化レベルと異なる（例えば、より高い）場合に、前記個体がＨＣＣを有すると判断することを含む、請求項１に記載の方法。
【請求項３】
前記生体試料が組織試料である場合に、前記選択される１つ以上の遺伝子に対して以下のプライマーのセット、すなわち、
ＤＡＢ２ＩＰに対しては、配列番号４及び５または配列番号４６及び４７からなるプライマーのセット、
ＥＭＸ１に対しては、配列番号１６及び１７または配列番号９１及び９２からなるプライマーのセット、
ＨＯＸＡ１に対しては、配列番号２８及び２９または配列番号８８及び８９からなるプライマーのセット、ならびに
ＴＳＰＹＬ５に対しては、配列番号１及び２または配列番号４３及び４４からなるプライマーのセット、
を使用する、請求項１に記載の方法。
【請求項４】
前記生体試料が、血漿試料または組織試料である、請求項１に記載の方法。
【請求項５】
前記ＣｐＧ部位が、コード領域または調節領域に存在する、請求項１に記載の方法。
【請求項６】
１つ以上の遺伝子に関してＣｐＧ部位のメチル化レベルを前記測定することが、前記ＣｐＧ部位のメチル化スコアを測定すること及び前記ＣｐＧ部位のメチル化の頻度を測定することからなる群から選択される測定を含む、請求項１に記載の方法。
【請求項７】
血漿試料を特徴づける方法であって、
（ａ）ヒト個体の血漿試料において、ＥＭＸ１、ＤＡＢ２ＩＰ、ＴＳＰＹＬ５、及びＨＯＸＡ１から選択される２つ以上の遺伝子に関してＣｐＧ部位のメチル化レベルを測定することであって、
前記メチル化レベルの測定が、
前記生体試料中のゲノムＤＮＡをバイサルファイトで処理し、
前記バイサルファイトで処理されたゲノムＤＮＡを、前記選択される２つ以上の遺伝子に対して以下のプライマーのセット、すなわち、
ＤＡＢ２ＩＰに対しては、配列番号４及び５または配列番号４６及び４７からなるプライマーのセット、
ＥＭＸ１に対しては、配列番号１６及び１７または配列番号９１及び９２からなるプライマーのセット、
ＨＯＸＡ１に対しては、配列番号２８及び２９または配列番号８８及び８９からなるプライマーのセット、ならびに
ＴＳＰＹＬ５に対しては、配列番号１及び２または配列番号４３及び４４からなるプライマーのセット、
を使用して増幅し、
前記ＣｐＧ部位の前記メチル化レベルを、メチル化特異的ＰＣＲ、定量的メチル化特異的ＰＣＲ、メチル化感受性ＤＮＡ制限酵素分析、定量的バイサルファイトピロシーケンシング、またはバイサルファイトゲノム配列決定ＰＣＲによって測定することを介する、前記測定すること、
（ｂ）前記メチル化レベルを、胃癌を伴わない対照試料における対応する遺伝子のセットのメチル化レベルと比較すること、ならびに
（ｃ）前記２つ以上の遺伝子において測定された前記メチル化レベルが、それぞれの対照試料において測定された前記メチル化レベルと異なる（例えば、より高い）場合に、前記個体がＨＣＣを有すると判断することを含む、前記方法。
【請求項８】
前記ＣｐＧ部位が、コード領域または調節領域に存在する、請求項７に記載の方法。
【請求項９】
２つ以上の遺伝子に関してＣｐＧ部位のメチル化レベルを前記測定することが、前記ＣｐＧ部位のメチル化スコアを測定すること及び前記ＣｐＧ部位のメチル化の頻度を測定することからなる群から選択される測定を含む、請求項７に記載の方法。
【請求項１０】
１）バイサルファイト試薬、
２）ＥＭＸ１、ＤＡＢ２ＩＰ、ＴＳＰＹＬ５、及びＨＯＸＡ１から選択されるＤＭＲ由来の配列を含み、がんを有さない対象と関連するメチル化状態を有する対照核酸、
３）ＥＭＸ１、ＤＡＢ２ＩＰ、ＴＳＰＹＬ５、及びＨＯＸＡ１に対する
以下のプライマーのセット、すなわち、
ＤＡＢ２ＩＰに対しては、配列番号４及び５または配列番号４６及び４７からなるプライマーのセット、
ＥＭＸ１に対しては、配列番号１６及び１７または配列番号９１及び９２からなるプライマーのセット、
ＨＯＸＡ１に対しては、配列番号２８及び２９または配列番号８８及び８９からなるプライマーのセット、ならびに
ＴＳＰＹＬ５に対しては、配列番号１及び２または配列番号４３及び４４からなるプライマーのセット、のうちの１つ以上
のうちの２つ以上を含むキット。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
約１０℃以下の温度にて生鳥卵を冷燻製する工程を含む、燻製生鳥卵の製造方法であって、冷燻製の条件が、生卵を調理することなく燻製風味を付与するのに十分なものである、製造方法。
【請求項２】
冷燻製を、約５℃以下の温度にて実施する、請求項１に記載の製造方法。
【請求項３】
冷燻製を、少なくとも３０分間の時間実施する、請求項１または２に記載の製造方法。
【請求項４】
冷燻製を、少なくとも１時間の時間実施する、請求項１〜３のいずれか一項に記載の製造方法。
【請求項５】
冷燻製工程を、少なくとも１０時間の時間実施する、請求項１〜４のいずれか一項に記載の製造方法。
【請求項６】
冷燻製工程を、約１２〜４８時間の時間実施する、請求項１〜５のいずれか一項に記載の製造方法。
【請求項７】
冷燻製を、約２〜５℃の範囲の温度にて約１〜７２時間の範囲の時間実施する、請求項１〜４のいずれか一項に記載の製造方法。
【請求項８】
冷燻製工程を、約２〜５℃の範囲の温度にて約１６時間の時間実施する、請求項１〜７のいずれか一項に記載の製造方法。
【請求項９】
生卵が、液状形態である、請求項１〜８のいずれか一項に記載の製造方法。
【請求項１０】
生卵が、殻付生鳥卵である、請求項１〜８のいずれか一項に記載の製造方法。
【請求項１１】
冷蔵条件下で殻付生鳥卵を冷燻製する工程を含む、卵殻に包まれている燻製生鳥卵の製造方法であって、該条件が、生卵を調理することなく殻内の生卵に燻製風味を付与するのに十分である、製造方法。
【請求項１２】
冷燻製工程を、約１０℃以下の温度にて実施する、請求項１１に記載の製造方法。
【請求項１３】
冷燻製工程を、約５℃以下の温度にて実施する、請求項１１または１２に記載の製造方法。
【請求項１４】
請求項１〜１３のいずれか一項に記載の製造方法により製造される、燻製生卵。
【請求項１５】
包装に入れられた請求項１４に記載の燻製生卵を含む、包装製品。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
ＨＬＡホモ接合免疫細胞を産生する方法であって、
（ａ）誘導多能性幹細胞（ｉＰＳＣ）を得ることであって、前記ｉＰＳＣがＨＬＡホモ接合血液細胞集団からリプログラムされること、
（ｂ）前記ｉＰＳＣを造血前駆細胞（ＨＰＣ）に分化させること、および
（ｃ）免疫細胞分化を促進する条件下で前記ＨＰＣを培養することによりＨＬＡホモ接合免疫細胞を産生すること、
を含む方法。
【請求項２】
前記ＨＬＡホモ接合血液細胞が、遺伝子座対立遺伝子ＨＬＡ−Ａ、ＨＬＡ−Ｂ、ＨＬＡ−Ｃ、ＨＬＡ−ＤＲ、ＨＬＡ−ＤＰ、およびＨＬＡ−ＤＱの１つ以上に関してホモ接合である、請求項１に記載の方法。
【請求項３】
前記ＨＬＡホモ接合免疫細胞がリンフォイド細胞またはミエロイド細胞である、請求項１に記載の方法。
【請求項４】
前記リンフォイド細胞が、Ｔ細胞、Ｂ細胞、およびＮＫ細胞の一以上である、請求項３に記載の方法。
【請求項５】
前記ＨＬＡホモ接合血液細胞集団が、Ｔ細胞、Ｂ細胞、およびＮＫ細胞の一以上を含む、請求項１に記載の方法。
【請求項６】
前記ＨＬＡホモ接合血液細胞集団が、プロジェニター血液細胞、末梢血単核細胞、およびリンパ芽球様細胞からなる群から選択される、請求項１に記載の方法。
【請求項７】
前記Ｔ細胞が、ＣＤ４＋Ｔ細胞、ＣＤ８＋Ｔ細胞、Ｔヘルパー１（ＴＨ１）細胞、Ｔヘルパー２（ＴＨ２）細胞、ＴＨ１７細胞、細胞傷害性Ｔ細胞、レギュラトリーＴ細胞、ナチ
ュラルキラーＴ細胞、ナイーブＴ細胞、メモリーＴ細胞、またはγδＴ細胞である、請求項５に記載の方法。
【請求項８】
前記ｉＰＳＣをＨＰＣに分化させることが、
（ａ）少なくとも１つの成長因子を含む第１の規定培地で前記ｉＰＳＣを培養すること、
（ｂ）ＩＬ−３、Ｆｌｔ３リガンド、およびＧＭ−ＣＳＦがフリーまたは本質的にフリーの第２の規定培地で前記ｉＰＳＣをインキュベートすること、
（ｃ）複数の前記ｉＰＳＣを拡大または分化を促進するのに十分なＢＭＰ４、ＦＧＦ２、およびＶＥＧＦを含む第３の規定培地で前記ｉＰＳＣを培養すること、および
（ｄ）複数の前記細胞を拡大または分化を促進するのに十分なＩＬ−３およびＦｌｔ３リガンドを含む第４の規定培地で前記ｉＰＳＣを培養すること、の逐次工程を含み、
複数の前記ＰＳＣをＨＰＣに分化させる、請求項１に記載の方法。
【請求項９】
前記第２の規定培地がＧＳＫ３阻害剤をさらに含む、請求項８に記載の方法。
【請求項１０】
前記ＧＳＫ３阻害剤がＣＨＩＲ９９０２１である、請求項９に記載の方法。
【請求項１１】
前記ｉＰＳＣが工程（ｂ）の前に個別化される、請求項８に記載の方法。
【請求項１２】
工程（ｂ）〜（ｄ）が、アミン被覆培養プレートを用いて実施される、請求項１１に記載の方法。
【請求項１３】
前記第４の規定培地がヘパリンを含む、請求項８に記載の方法。
【請求項１４】
前記ＨＰＣが、ＣＤ４３、ＣＤ３４、ＣＤ３１、ＣＤ４１、ＣＤ２３５、およびＣＤ４５からなる群から選択される少なくとも２つのマーカーを発現する、請求項８に記載の方法。
【請求項１５】
ＣＤ３４及びＣＤ４３を発現するＨＰＣが、リンフォイド分化を促進する条件下で培養され、
（ｉ）マトリックスおよびＮｏｔｃｈリガンドで被覆された表面上の規定培地で前記ＨＰＣを培養することであって、前記ＨＰＣが、ＣＤ３４、ＣＤ４３、ＣＤ７、ＤＬＬ４、ＣＤ１４４、およびＣＤ２３５からなる群から選択される１つ以上の細胞表面マーカーを発現すること、および
（ｉｉ）１つ以上のサイトカインの存在下で前記培養を維持することによりリンフォイド細胞を産生すること、
を含む、請求項１に記載の方法。
【請求項１６】
前記規定培地がアスコルビン酸およびニコチンアミドの一方又は両方を含む、請求項１５に記載の方法。
【請求項１７】
前記マトリックスがレトロネクチンである、請求項１５に記載の方法。
【請求項１８】
前記リンフォイド細胞が、ＣＤ８、ＣＤ７、ＣＤ４５、ＣＤ５、ＣＤ４、およびＣＤ３からなる群から選択される１つ以上のマーカーを発現する、請求項１５に記載の方法。
【請求項１９】
前記ＨＰＣがミエロイド分化を促進する条件下で培養され、
（ｉ）ＴＰＯ、ＳＣＦ、およびＦｌｔ３リガンドを含む第１の規定培地で前記ＨＰＣを培養することによりミエロイド細胞の集団を産生すること、および
（ｉｉ）ＴＰＯ、ＳＣＦ、およびＦｌｔ３リガンドが本質的にフリーの第２の規定培地で前記細胞をインキュベートすることによりミエロイド細胞の富化集団を産生すること、
を含む、請求項１に記載の方法。
【請求項２０】
工程（ｉ）で産生される前記ミエロイド細胞の集団の少なくとも５０％が、ＣＤ４５、ＣＤ４３、およびＣＤ３１に関して陽性である、請求項１９に記載の方法。
【請求項２１】
ＣＤ４５、ＣＤ４３、およびＣＤ３１に関して陽性のミエロイド細胞の集団が、ＣＤ３４を本質的に発現しない、請求項２０に記載の方法。
【請求項２２】
各ライブラリーメンバーがＨＬＡ型により特徴付けられるＨＬＡホモ接合免疫細胞のライブラリーを作製する方法であって、
（ａ）ヒトスーパードナーから得られる複数の血液サンプルのＨＬＡタイピングを行うこと、
（ｂ）前記複数の血液サンプルに由来する細胞をｉＰＳＣにリプログラムすること、
（ｃ）前記ｉＰＳＣをＨＰＣに分化させること、および
（ｄ）免疫細胞分化を促進する条件下で前記ＨＰＣを培養することによりＨＬＡホモ接合免疫細胞のライブラリーを作製すること、
を含む方法。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
ゴルフボールの複数の繰り返しの当たりに耐えるのに十分な強さの材料からなる固体のプレイ面であって、上に人工ターフの層が固定された木、プラスチックまたは金属を含む衝撃吸収材を備え、且つ少なくとも一つのホールが中に画定されている前記プレイ面を備える、地面に対して倒伏姿勢と傾斜姿勢との間で調整可能であるターゲットと、
人工ターフの表面を有し、傾斜した前記プレイ面の下部傾斜端縁からある距離をおいて配置可能であるチッピングマットと、を備えるゴルフのチッピングゲーム。
【請求項２】
前記プレイ面に画定された複数のホールをさらに備える、請求項１に記載のゴルフのチッピングゲーム。
【請求項３】
前記衝撃吸収材は、擬芝様材料である、請求項１に記載のゴルフのチッピングゲーム。
【請求項４】
前記プレイ面は、前記チッピングマットに向かって傾斜されている、請求項１に記載のゴルフのチッピングゲーム。
【請求項５】
折り畳まれていない位置にあるときに前記プレイ面の傾斜をもたらすように、該プレイ面に取り付けられた、少なくとも一つの折り畳み可能な脚部をさらに備える、請求項４に記載のゴルフのチッピングゲーム。
【請求項６】
ボール捕集手段をさらに備える、請求項２に記載のゴルフのチッピングゲーム。
【請求項７】
前記ボール捕集手段は、前記複数のホールの各々の下に一つのネットバスケットが配置された状態の、前記プレイ面の下面にまたは該下面の周りに取り付けられた、複数のネットバスケットである、請求項６に記載のゴルフのチッピングゲーム。
【請求項８】
前記プレイ面は、サイズが約２フィート×３フィートである、請求項１に記載のゴルフのチッピングゲーム。
【請求項９】
前記ホールの直径は、ゴルフボールの直径よりも大きく、少なくとも二つの異なるサイズから成っている、請求項２に記載のゴルフのチッピングゲーム。
【請求項１０】
少なくとも一つのゴルフボールサイズのボールをさらに備える、請求項１に記載のゴルフのチッピングゲーム。
【請求項１１】
複数のホールが中に画定されている第二のプレイ面と、
前記第二のプレイ面からある距離を置いて配置可能である第二のチッピングマットと、をさらに備える、請求項１に記載のゴルフのチッピングゲーム。
【請求項１２】
前記プレイ面は、互いに離れて配置され、および互いに向かって傾斜され、チッピングマットが、一つのプレイ面に近接して配置される、請求項１１に記載のゴルフのチッピングゲーム。
【請求項１３】
ゴルフのチッピングゲームのためのプレイ方法であって、
少なくとも一つのホールを有する傾斜したプレイ面の下部傾斜端縁を、チッピングマットからある距離に配置することと、
前記チッピングマットの上にゴルフボールを配置することと、
ゴルフクラブを用いて、前記ゴルフボールを前記プレイ面に向かって打つことと、を含み、
前記プレイ面は、ゴルフボールの複数の繰り返しの当たりに耐えるのに十分な強さの材料からなり、且つ、上に人工ターフの層が固定された木材、プラスチックまたは金属を含む衝撃吸収材を備える、方法。
【請求項１４】
前記プレイ面は、複数のホールを有する、請求項１３に記載のゴルフのチッピングゲームのためのプレイ方法。
【請求項１５】
前記ゴルフボールを前記プレイ面に向かって打った後の、前記プレイ面および複数のホールに関連する前記ゴルフボールに基づいて点を記録することをさらに含む、請求項１４に記載のゴルフのチッピングゲームのためのプレイ方法。
【請求項１６】
前記プレイ面に対向する別のプレイ面を配置することと、
前記チッピングマットに対向する別のチッピングマットを配置することと、をさらに含む、請求項１３に記載のゴルフのチッピングゲームのためのプレイ方法。
【請求項１７】
複数のホールが中に画定されている二つの傾斜したプレイ面と、
前記プレイ面を構成し、または、該プレイ面に取り付けられた衝撃吸収材と、
少なくとも一つのプレイ面からある距離を置いて配置可能である二つのチッピングマットと、をさらに備える、請求項１に記載のゴルフのチッピングゲーム。
【請求項１８】
前記衝撃吸収材は、擬芝様材料である、請求項１７に記載のゴルフのチッピングゲーム。
【請求項１９】
折り畳まれていない位置にあるときに前記プレイ面の傾斜をもたらすように、該プレイ面に取り付けられた、少なくとも一つの折り畳み可能な脚部をさらに備える、請求項１７に記載のゴルフのチッピングゲーム。
【請求項２０】
複数のホールが中に画定されている第二のプレイ面と、
前記第二のプレイ面からある距離を置いて配置可能である第二のチッピングマットと、をさらに備える、請求項１７に記載のゴルフのチッピングゲーム。
【請求項２１】
前記プレイ面は、互いに離れて、および互いに向かって傾斜して配置され、チッピングマットが、一つのプレイ面に近接して配置される、請求項２０に記載のゴルフのチッピングゲーム。
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
近位端と、遠位端と、遠位のハウジング部とを有し、遠位のハウジング部は、肛門内に挿入され、対象の直腸内に保持されるように構成されているハウジングと、
収束点に近位および遠位の両方の器具の動きの範囲を定める近位の円すいおよび遠位の円すいの交点によって定められ、可変および選択可能な角度で器具が器具収束点を通れるように構成されている、近位端と遠位端との間に配置した器具収束点と、
前記ハウジングの近位端に、前記器具収束点の周囲の三次元の可変の角度の方向を指示する器具角度方向付けシステムと、
を含むことを特徴とする解剖学的検出システム誘導前立腺処置デバイス。
【請求項２】
前記器具収束点が、前記器具を三次元配置へ遠位に向けるように構成されている装置内に含まれる請求項１に記載の解剖学的検出システム誘導前立腺処置デバイス。
【請求項３】
前記器具角度方向付けシステムが、前記器具の遠位端の侵入深さおよび前記器具の遠位端の三次元の位置のうちの１つ以上を指示する請求項１または２に記載の解剖学的検出システム誘導前立腺処置デバイス。
【請求項４】
器具ガイドをさらに含む請求項１〜３のいずれか１項に記載の解剖学的検出システム誘導前立腺処置デバイス。
【請求項５】
前記器具ガイドが実質的に円錐である請求項４に記載の解剖学的検出システム誘導前立腺処置デバイス。
【請求項６】
収束点が、デバイスの近位端およびデバイスの遠位端から走る軸に沿って平行移動可能である請求項１〜５のいずれか１項に記載の解剖学的検出システム誘導前立腺処置デバイス。
【請求項７】
前記ハウジングが中間ハウジング部を含み、前記解剖学的検出システム誘導前立腺処置デバイスが、前記中間ハウジング部内で回転抑制され、前記器具収束点を中心とする球状ターゲティングボールをさらに含む請求項１〜６のいずれか１項に記載の解剖学的検出システム誘導前立腺処置デバイス。
【請求項８】
解剖学的検出システムが、磁気共鳴解剖学的検出システム、コンピュータ断層撮影（ＣＴ）解剖学的検出システム、または超音波解剖学的検出システムを含む請求項１〜７のいずれか１項に記載の解剖学的検出システム誘導前立腺処置デバイス。
【請求項９】
前記器具角度方向付けシステムが、固定配列器具角度方向付けシステムを含む請求項１〜８のいずれか１項に記載の解剖学的検出システム誘導前立腺処置デバイス。
【請求項１０】
前記ハウジングが近位のハウジング部を含み、前記固定配列器具角度方向付けシステムが、近位端近くの前記近位のハウジング部内に配置されたグリッドアレイプレートを含み、前記グリッドアレイプレートが、チャンネル軸が収束点に収束するにように配向した、チャンネル軸をそれぞれ有する複数の器具アクセスチャンネルを有する請求項９に記載の解剖学的検出システム誘導前立腺処置デバイス。
【請求項１１】
前記器具角度方向付けシステムが、連続的に可変の座標器具角度方向付けシステムを含む請求項１〜１０のいずれか１項に記載の解剖学的検出システム誘導前立腺処置デバイス。
【請求項１２】
前記連続的に可変の座標器具角度方向付けシステムが、デカルト座標システム、または円錐座標器具角度方向付けシステムを含む請求項１１に記載の解剖学的検出システム誘導前立腺処置デバイス。
【請求項１３】
前記ハウジングが近位のハウジング部を含み、前記連続的に可変の円筒状座標器具角度方向付けシステムが、近位のハウジング部内に回転可能に配置された円形のプレートを含み、前記円形のプレートが、その中心から、および切り抜きガイド内に摺動自在に配置された割り出しキャリッジから半径方向に伸びる切り抜きガイドを含み、前記器具ガイドが、収束点から前記割り出しキャリッジまで近位に伸びる請求項１２に記載の解剖学的検出システム誘導前立腺処置デバイス。
【請求項１４】
生検針、プローブ、センサシステム、処置デバイス、治療の器具システム、または化学物質配置デバイスをさらに含む請求項１〜１３のいずれか１項に記載の解剖学的検出システム誘導前立腺処置デバイス。
【請求項１５】
少なくとも１つのＭＲＩコイルをさらに含む請求項１〜１４のいずれか１項に記載の解剖学的検出システム誘導前立腺処置デバイス。
【請求項１６】
前記ＭＲＩコイルが、遠位のハウジング部内に、ハウジングの近位端の内表面上に配置されているか、または前記遠位のハウジング部および前記中間ハウジング部を横断する請求項１５に記載の解剖学的検出システム誘導前立腺処置デバイス。
【請求項１７】
前記ＭＲＩコイルがループアンテナ、バタフライアンテナ、またはこれらの組み合わせを含む請求項１５または１６に記載の解剖学的検出システム誘導前立腺処置デバイス。
【請求項１８】
前記ＭＲＩコイルから前記中間ハウジング部を通じて前記近位のハウジング部へ近位に走るフレキシブル回路と、前記フレキシブル回路の近位端に連結したインターフェースボードとをさらに含む請求項１５〜１７のいずれか１項に記載の解剖学的検出システム誘導前立腺処置デバイス。
【請求項１９】
前記近位のハウジング部に連結したクランプハンドルをさらに含む請求項１〜１８のいずれか１項に記載の解剖学的検出システム誘導前立腺処置デバイス。
【請求項２０】
デバイスを位置付ける、解剖学的検出システムで検出可能な化学物質の１点以上をさらに含む請求項１〜１９のいずれか１項に記載の解剖学的検出システム誘導前立腺処置デバイス。
【請求項２１】
前記遠位のハウジング部が、器具がデバイスを通れるようにする切り抜きを、前記遠位のハウジング部の下面に含む請求項１〜２０のいずれか１項に記載の解剖学的検出システム誘導前立腺処置デバイス。
【請求項２２】
遠位のハウジングが、ヒト直腸のＪ形状に一致するように構成されている請求項１〜２１のいずれか１項に記載の解剖学的検出システム誘導前立腺処置デバイス。
【請求項２３】
遠位のハウジング部が、ハウジングの中心線から約１０〜約６０°から上方に曲げられている請求項１〜２２のいずれか１項に記載の解剖学的検出システム誘導前立腺処置デバイス。
【請求項２４】
請求項１〜２３のいずれかに記載のデバイスと、医療処置を行う器具とを含むシステム。
【請求項２５】
請求項１〜２４のいずれか１項に記載の解剖学的検出システム誘導前立腺処置デバイスの遠位端を対象の前立腺に近接した対象の直腸内に導入するステップと、
解剖学的検出システムを用いて、前立腺を含む対象の解剖学的特徴および前記解剖学的検出システム誘導前立腺処置デバイスのデータを得るステップと、
デバイスおよび前記前立腺の位置を確立するステップと、
処置のために前記前立腺上または前記前立腺内の組織の三次元空間における位置を決定するステップと、
三次元空間における位置を器具角度方向付けシステムへ移すステップと、
前記器具角度方向付けシステムを用いて器具を前記前立腺の部位へ誘導し、それによって処置を行うステップと、
を含むことを特徴とする対象の前立腺で解剖学的検出システム誘導処置を行う方法。
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
エアロゾル発生装置であって、
−エアロゾル形成基体を保持するためのカートリッジと、
−エアロゾル形成基体を噴霧化するためのアトマイザーと、
−流体を送達するためのマイクロポンプとを備え、前記マイクロポンプが前記カートリッジと前記アトマイザーの間に配置され、かつエアロゾル形成基体を前記カートリッジから前記アトマイザーに供給するために前記カートリッジおよび前記アトマイザーと流体接続し、前記マイクロポンプが、
二つの別個のチャンバー容積を有する二つのポンプチャンバーと、
二つのアクチュエータであって、各アクチュエータがそれぞれのチャンバー容積を変更するために前記二つのポンプチャンバーの一つに割り当てられ、
流体経路に沿ったポンピング方向を確立するために少なくとも一つの入口弁および少なくとも一つの出口弁が各ポンプチャンバーに提供され、前記流体経路が９０度以下の角度を成さないものと、
共通の入口および共通の出口とを備え、
前記二つのポンプチャンバーが並列に配置され、かつ前記共通の入口および前記共通の出口と流体接続し、
前記二つのポンプチャンバーのそれぞれの中の体積変更が両方のポンプチャンバーで同時に発生するように、前記アクチュエータが並列に動作するように構成されている、装置。
【請求項２】
前記二つのポンプチャンバーが前記共通の入口および前記共通の出口と直に流体接続されている、請求項１に記載の装置。
【請求項３】
前記二つのポンプチャンバーと前記二つのアクチュエータが、相互に反対に配置されている、請求項１〜２のいずれか一項に記載の装置。
【請求項４】
前記二つのポンプチャンバーおよび前記二つのアクチュエータが、前記二つのポンプチャンバーのそれぞれにおける同一の体積変更が、前記二つのアクチュエータの動作に伴い発生するように構成されている、請求項１〜３のいずれか一項に記載の装置。
【請求項５】
前記二つのポンプチャンバーのチャンバー容積が同一である、請求項１〜４のいずれか一項に記載の装置。
【請求項６】
流量が１μＬ／Ｓ〜７μＬ／Ｓである、請求項１〜５のいずれか一項に記載の装置。
【請求項７】
前記二つのアクチュエータが圧電膜アクチュエータである、請求項１〜６のいずれか一項に記載の装置。
【請求項８】
前記マイクロポンプがポンプチャンバー一つ当たり、二つの入口弁および二つの出口弁を備える、請求項１〜７のいずれか一項に記載の装置。
【請求項９】
前記マイクロポンプが、前記二つのポンプチャンバーの間に平行に配置された平面に対して対称なセットアップを含む、請求項１〜８のいずれか一項に記載の装置。
【請求項１０】
前記共通の入口の入口接続部および前記共通の出口の出口接続部が前記マイクロポンプの同じ側に配置されている、請求項１〜９のいずれか一項に記載の装置。
【請求項１１】
前記マイクロポンプの前記共通の出口における流体の流れを制御するために制御電子回路に接続された流れセンサーをさらに備える、請求項１〜１０のいずれか一項に記載の装置。
【請求項１２】
前記アトマイザーが、音波霧化要素、超音波振動装置または気化器（ヒーターなど）のうちのどれか一つまたは組み合わせを含む、請求項１〜１１のいずれか一項に記載の装置。
【請求項１３】
ニコチン含有エアロゾル形成基体およびたばこ風味含有エアロゾル形成基体のうちの一つまたは組み合わせを含む請求項１〜１２のいずれか一項に記載の装置。
【請求項１４】
粘性が１ｍＰａｓ〜２００ｍＰａｓ、好ましくは１ｍＰａｓ〜１５０ｍＰａｓである粘性液体エアロゾル形成基体を含む、請求項１〜１３のいずれか一項に記載の装置。
【請求項１５】
電子喫煙システムにおける前記請求項１〜１４のいずれか一項に記載の装置の使用。
【請求項１６】
エアロゾル発生装置であって、
−エアロゾル形成基体を保持するためのカートリッジと、
−エアロゾル形成基体を噴霧化するためのアトマイザーと、
−流体を送達するためのマイクロポンプとを備え、前記マイクロポンプが前記カートリッジと前記アトマイザーの間に配置され、かつエアロゾル形成基体を前記カートリッジから前記アトマイザーに供給するために前記カートリッジおよび前記アトマイザーと流体接続し、前記マイクロポンプが、
二つの別個のチャンバー容積を有する二つのポンプチャンバーと、
二つのアクチュエータであって、各アクチュエータがそれぞれのチャンバー容積を変更するために前記二つのポンプチャンバーの一つに割り当てられ、
ポンピング方向を確立するために少なくとも一つの入口弁および少なくとも一つの出口弁が各ポンプチャンバーに提供されるものと、
共通の入口および共通の出口とを備え、
前記二つのポンプチャンバーが並列に配置され、かつ前記共通の入口および前記共通の出口と流体接続し、
前記共通の入口の入口接続部は前記マイクロポンプの一方の側に配置されており、前記共通の出口の出口接続部は、前記マイクロポンプの反対側に配置されており、
前記二つのポンプチャンバーのそれぞれの中の体積変更が両方のポンプチャンバーで同時に発生するように、前記アクチュエータが並列に動作するように構成されている、装置。